(57)【特許請求の範囲】
【請求項１】
無線通信システムのＵＥ（ユーザー端末）においてＭＡＣ−ｅｈｓ（エボルブド高速媒体アクセス制御）プロトコルエンティティーのリセットを改善する方法であって、当該ＭＡＣ−ｅｈｓプロトコルエンティティーは第一リセット機能と第二リセット機能を備え、当該第一リセット機能は上位層通信プロトコルのリクエストに応じて起動され、当該第二リセット機能はＭＡＣ−ｅｈｓプロトコルエンティティーのリセットタイマーのいずれかが満了したときに起動され、当該方法は、
第一リセット機能の起動に応じて、ＭＡＣ−ｅｈｓプロトコルエンティティーにおいてすべて起動されたリセットタイマーを止め、かつ、当該ＭＡＣ−ｅｈｓプロトコルエンティティーのリセットタイマーをすべて初期値に戻す段階を含む、ＭＡＣ−ｅｈｓプロトコルエンティティーのリセットを改善する方法。
【請求項２】
前記ＭＡＣ−ｅｈｓプロトコルエンティティーの各リセットタイマーはリオーダー機能を改善するために用いられる、請求項１に記載のＭＡＣ−ｅｈｓプロトコルエンティティーのリセットを改善する方法。
【請求項３】
前記無線通信システムはエボルブドＨＳＰＡ（高速パケットアクセス）システムである、請求項１に記載のＭＡＣ−ｅｈｓプロトコルエンティティーのリセットを改善する方法。
【請求項４】
無線通信システムにおいてＭＡＣ−ｅｈｓプロトコルエンティティーのリセットを改善する通信装置であって、当該ＭＡＣ−ｅｈｓプロトコルエンティティーは第一リセット機能と第二リセット機能を備え、当該第一リセット機能は上位層通信プロトコルのリクエストに応じて起動され、当該第二リセット機能はＭＡＣ−ｅｈｓプロトコルエンティティーのリセットタイマーのいずれかが満了したときに起動され、当該通信装置は、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、前記プログラムコードは、
第一リセット機能の起動に応じて、ＭＡＣ−ｅｈｓプロトコルエンティティーにおいてすべて起動されたリセットタイマーを止め、かつ、当該ＭＡＣ−ｅｈｓプロトコルエンティティーのリセットタイマーをすべて初期値に戻すコードを含む、通信装置。
【請求項５】
前記ＭＡＣ−ｅｈｓプロトコルエンティティーの各リセットタイマーはリオーダー機能を改善するために用いられる、請求項４に記載の通信装置。
【請求項６】
前記無線通信システムはエボルブドＨＳＰＡシステムである、請求項４に記載の通信装置。
【発明の詳細な説明】
【技術分野】
【０００１】
本発明は無線通信システムにおいてＭＡＣ−ｅｈｓ（エボルブド高速媒体アクセス制御）プロトコルエンティティーのリセットを改善する方法及び装置に関し、特に無線通信システムのＵＥ（ユーザー端末）においてＭＡＣ−ｅｈｓプロトコルエンティティーのリセットを改善し、システム効率を向上させる方法及び装置に関する。
【背景技術】
【０００２】
第三世代移動通信システム（ＵＭＴＳ）はＷＣＤＭＡ（広帯域多元分割接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。第三世代移動通信システムを利用すれば、動画鑑賞、電話会議、オンラインゲーム、オンラインミュージック再生、電子メールを楽しむことができる。もっとも、これらの機能は迅速かつ実時間のデータ送信機能に頼る。帯域幅の利用効率とパケットデータの処理効率を向上させ、上り・下りの送信速度を改善するために、第三世代移動通信システムに対して、従来の技術ではＨＳＰＡ（高速パケットアクセス）システムを導入した。ＨＳＰＡシステムはＨＳＤＰＡ（高速ダウンリンクパケットアクセス）とＨＳＵＰＡ（高速アップリンクパケットアクセス）を含む。
【０００３】
ＨＳＰＡシステムではＨＡＲＱ方式でデータ再送の速度を向上させる。ＨＡＲＱとは、ＦＥＣ（フィードフォワード誤り訂正）とＡＲＱ（自動リピート要求）を結合した技術であり、同技術によれば、ＵＴＲＡＮ（汎用地上無線アクセスネットワーク。以下にネットワークと略称する）はＵＥから返送された応答信号（ＡＣＫ／ＮＡＣＫ）に基づいて再送の要否を決め、ＵＥは前回失敗したアテンプトから有用な情報を保存して復号に備える。
【０００４】
従来の技術ではシステムの伝送効率を向上させるために、ＭＡＣ層にＭＡＣ−ｅｈｓプロトコルエンティティーを新設している。ＭＡＣ−ｅｈｓプロトコルエンティティーはフレキシブルなＲＬＣ  ＰＤＵ（無線リンク制御プロトコルデータユニット）サイズとセグメント化をサポートし、ＭＡＣ層の多重化機能を改善することで、異なる論理チャネルからのＲＬＣ  ＰＤＵを単一のＭＡＣ−ｅｈｓ  ＰＤＵとして多重化する。
【０００５】
また、ＭＡＣ−ｅｈｓプロトコルエンティティーのリオーダー機能を改善するために、従来の技術では、ＵＥが特定の時間（すなわちタイマーが満了するまでの時間）内に何のＰＤＵも正常に受信しなかった場合に、リオーダー機能の受信ウィンドウを再確立し、後に受信するＰＤＵの誤削除を回避するためのリセットタイマーを定めている。ＭＡＣ−ｅｈｓプロトコルエンティティーのリセットタイマーの動作については３ＧＰＰ（第三世代パートナーシッププロジェクト）の通信プロトコル仕様を参照し、ここで説明を省略する。
【０００６】
したがって、従来の技術では、上位層通信プロトコルとタイマーのリセットにかかる要求を満足させるために、ＭＡＣ−ｅｈｓプロトコルエンティティーに第一リセット機能と第二リセット機能を設ける。第一リセット機能は上位層通信プロトコル（例えばＲＲＣ（無線資源制御）層）のリクエストに応じて起動され、ＵＥ設定の変動時（例えばハンドオーバー）にＭＡＣ−ｅｈｓプロトコルエンティティーをリセットする。第二リセット機能はＭＡＣ−ｅｈｓプロトコルエンティティーにおいてリセットタイマーのいずれかが満了したときに起動され、ＭＡＣ−ｅｈｓプロトコルエンティティーのリオーダー機能をリセットする。第一リセット機能と第二リセット機能はいずれも、ＨＡＲＱプロセスバッファをすべて消去（フラッシュ）する段階を含む。
【０００７】
しかし、前記仕様によれば、上位層通信プロトコルのリクエストに応じて第一リセット機能を起動した場合、リセットタイマーはそれによって止まらない。この場合、第二リセット機能はリセットタイマーの満了により短い時間内に起動され、ＨＡＲＱプロセスバッファをすべて消去する動作を再び実行する。そうすると、第一リセット機能と第二リセット機能が相次いで起動される間には、バッファに保存される未復号のデータは削除を余儀なくされ、データの受信の成功率はそれによって低下する。
【０００８】
簡単にいえば、従来の仕様には、第二リセット機能の不正常起動によりＵＥのデータ受信成功率が低下するという問題がある。
【発明の開示】
【発明が解決しようとする課題】
【０００９】
本発明は無線通信システムのＵＥにおいてＭＡＣ−ｅｈｓプロトコルエンティティーのリセットを改善し、システム効率を向上させる方法及び装置を提供することを課題とする。
【課題を解決するための手段】
【００１０】
本発明では、無線通信システムのＵＥ（ユーザー端末）においてＭＡＣ−ｅｈｓ（エボルブド高速媒体アクセス制御）プロトコルエンティティーのリセットを改善する方法を開示する。当該ＭＡＣ−ｅｈｓプロトコルエンティティーは第一リセット機能と第二リセット機能を備える。当該第一リセット機能は上位層通信プロトコルのリクエストに応じて起動され、当該第二リセット機能はＭＡＣ−ｅｈｓプロトコルエンティティーのリセットタイマーのいずれかが満了したときに起動される。前記方法は、第一リセット機能を起動する段階と、ＭＡＣ−ｅｈｓプロトコルエンティティーにおいてすべて起動されたリセットタイマーを止め、当該ＭＡＣ−ｅｈｓプロトコルエンティティーのリセットタイマーをすべて初期値に戻す段階とを含む。
【００１１】
本発明では更に、無線通信システムにおいてＭＡＣ−ｅｈｓプロトコルエンティティーのリセットを改善する通信装置を開示する。当該ＭＡＣ−ｅｈｓプロトコルエンティティーは第一リセット機能と第二リセット機能を備える。当該第一リセット機能は上位層通信プロトコルのリクエストに応じて起動され、当該第二リセット機能はＭＡＣ−ｅｈｓプロトコルエンティティーのリセットタイマーのいずれかが満了したときに起動される。前記通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、第一リセット機能を起動するコードと、ＭＡＣ−ｅｈｓプロトコルエンティティーにおいてすべて起動されたリセットタイマーを止め、当該ＭＡＣ−ｅｈｓプロトコルエンティティーのリセットタイマーをすべて初期値に戻すコードとを含む。
【発明を実施するための最良の形態】
【００１２】
かかる方法及び装置の特徴を詳述するために、具体的な実施例を挙げ、図を参照にして以下に説明する。
【００１３】
図４を参照する。図４は無線通信システム１０００を表す説明図である。無線通信システム１０００は望ましくはエボルブドＨＳＰＡ（高速パケットアクセス）システムであって、概してネットワークと複数のＵＥを含む。図４では、ネットワークとＵＥは無線通信システム１０００の構造を説明するのに用いられ、実際、ネットワークは要求に応じて複数の基地局、ＲＮＣ（無線ネットワークコントローラ）などを含みうる。ＵＥは携帯電話またはコンピュータシステムなどの装置である。
【００１４】
図１を参照する。図１は無線通信装置１００のブロック図である。無線通信装置１００は図４に示すＵＥを実施するのに用いられる。説明を簡素化するために、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１５】
図２を参照する。図２は図１に示すプログラムコード１１２を表す説明図である。プログラムコード１１２はアプリケーション層２００と、第三層インターフェイス２０２と、第二層インターフェイス２０６を含み、第一層インターフェイス２１８と接続されている。第三層インターフェイス２０２は、無線資源制御（ＲＲＣ）メッセージと情報要素（ＩＥ）に基づいて第一層インターフェイス２１８と第二層インターフェイス２０６を制御するＲＲＣエンティティーを含む。第二層インターフェイス２０６は、ＭＡＣ−ｅｈｓ  ＰＤＵを処理するＭＡＣ−ｅｈｓプロトコルエンティティー２２２を含む。
【００１６】
一般に、ＭＡＣ−ｅｈｓプロトコルエンティティーは、上位層通信プロトコルとリセットタイマーのリセット要求をそれぞれ満足させるための第一リセット機能と第二リセット機能を備える。第一リセット機能は上位層通信プロトコルのリクエストに応じて起動され、ＵＥ設定の変動時（例えばハンドオーバー）にＭＡＣ−ｅｈｓプロトコルエンティティーをリセットする。第二リセット機能はＭＡＣ−ｅｈｓプロトコルエンティティーにおいてリセットタイマーのいずれかが満了したときに起動され、ＭＡＣ−ｅｈｓプロトコルエンティティーのリオーダー機能をリセットする。それに鑑みて、本発明の実施例ではプログラムコード１１２にＭＡＣ−ｅｈｓプロトコルエンティティーリセットプログラムコード２２０を設け、ＭＡＣ−ｅｈｓプロトコルエンティティーを正確にリセットして第二リセット機能の誤起動を防止する。
【００１７】
図３を参照する。図３は本発明の実施例による方法３０のフローチャートである。下記方法３０は無線通信システムのＵＥにおいてＭＡＣ−ｅｈｓプロトコルエンティティーを改善するのに用いられ、ＭＡＣ−ｅｈｓプロトコルエンティティーリセットプログラムコード２２０としてコンパイルすることができる。前記ＭＡＣ−ｅｈｓプロトコルエンティティーは第一リセット機能と第二リセット機能を備える。前記方法３０は以下のステップを含む。
【００１８】
ステップ３００：開始。
ステップ３０２：上位層通信プロトコルエンティティーのリクエストに応じて第一リセット機能を起動する。
ステップ３０４：ＭＡＣ−ｅｈｓプロトコルエンティティーにおいてすべて起動されたリセットタイマーを止め、当該ＭＡＣ−ｅｈｓプロトコルエンティティーのリセットタイマーをすべて初期値に戻す。
ステップ３０６：終了。
【００１９】
以上のように、本発明の実施例ではまず上位層通信プロトコルエンティティーのリクエストに応じて第一リセット機能を起動する。次に、ＭＡＣ−ｅｈｓプロトコルエンティティーにおいてすべて起動されたリセットタイマーを止め、当該ＭＡＣ−ｅｈｓプロトコルエンティティーのリセットタイマーをすべて初期値に戻す。ＭＡＣ−ｅｈｓプロトコルエンティティーの各リセットタイマーはリオーダー機能のリセットに用いられる。
【００２０】
言い換えれば、ＭＡＣ−ｅｈｓプロトコルエンティティーが上位層通信プロトコルエンティティーのリクエストに応じて第一リセット機能を起動するとき、本発明の実施例ではＭＡＣ−ｅｈｓプロトコルエンティティーにおいてすべて起動されたリセットタイマーを止めるとともに、当該ＭＡＣ−ｅｈｓプロトコルエンティティーのリセットタイマーをすべて初期値に戻し、第二リセット機能の誤起動を防止する。したがって、本発明の実施例はＭＡＣ−ｅｈｓプロトコルエンティティーのリセット機能を有効に改善し、システム機能を向上させることができる。
【００２１】
また、本発明の実施例では、ＭＡＣ−ｅｈｓプロトコルエンティティーのリセットタイマーのいずれかが満了したときに第二リセット機能を起動することも可能である。その動作については当業者に周知のため、ここで説明を省略する。
【００２２】
まとめていえば、本発明では上位層通信プロトコルのリクエストに応じてＭＡＣ−ｅｈｓプロトコルエンティティーをリセットするときに、リセットタイマーを止める段階とリセットタイマーを初期値に戻す段階を追加し、システム機能を向上させる。
【００２３】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２４】
【図１】無線通信装置のブロック図である。
【図２】図１に示すプログラムコードを表す説明図である。
【図３】本発明の実施例による方法のフローチャートである。
【図４】無線通信システムを表す説明図である。
【符号の説明】
【００２５】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層インターフェイス
２０６  第二層インターフェイス
２１８  第一層インターフェイス
２２０  ＭＡＣ−ｅｈｓプロトコルエンティティーリセットプログラムコード
１０００  無線通信システム
【図１】
0004801707.tif 000002
【図２】
0004801707.tif 000003
【図３】
0004801707.tif 000004
【図４】
0004801707.tif 000005